(57)【特許請求の範囲】
【請求項１】
a)紙製の板材と、
b)前記板材に形成された挿入孔と、
c)被展示物を掛けるための棒状部と、この棒状部の基部に設けられ前記板材の表側から前記挿入孔に差し込むことにより前記板材に係合する係合部とを有する非紙製のフックと、
d)前記板材のうち前記挿入孔の真下部に位置する回動片部と
を備え、
前記回動片部の周囲部のうち左右一対の接点部以外にはミシン目が形成され、前記回動片部を押圧することにより前記ミシン目に沿って該回動片部の周囲部が切れて、前記接点部を中心に前記回動片部が回動するように構成されていることを特徴とする商品展示器。
【請求項２】
非紙製のフックが挿入される挿入孔を有する板材と、前記板材のうち前記挿入孔の真下部に位置する回動片部とを備え、前記回動片部の周囲部のうち左右一対の接点部以外は、前記板材から切り離されていることを特徴とする商品展示用板材。
【発明の詳細な説明】
【技術分野】
【０００１】
本発明は、板材の前面に取り付けられたフックに商品を吊り下げて展示する商品展示器および商品展示用板材に関する。
【背景技術】
【０００２】
商品を販売するために展示する商品展示器として、厚紙製や段ボール紙製の板材に複数のフックを取り付けて成る商品展示器がある（特許文献１参照）。フックは商品の掛止棒とその基端部の係止部とから成り、板材に設けられた貫通孔に前記係止部を挿入し係止させることにより該板材に取り付けられる。
【先行技術文献】
【特許文献】
【０００３】
【特許文献１】特開2002-65424号公報
【発明の概要】
【発明が解決しようとする課題】
【０００４】
前記係止部は上下一対の係止片を有しており、挿入孔に挿入された係止部はその係止片が板材に係止するようになっており、これにより、商品が掛止されてもフックが板材から外れ落ちることがない。
【０００５】
ところで、近年、物品を廃棄する際には、その素材（材質）別に分別することを求める自治体が増えている。上記商品展示器は、紙製の板材に金属製或いはプラスチック製のフックを取り付けて成るため、廃棄する際に板材からフックを取り外す必要がある。
ところが、上述したように、フックは、商品を掛けてもその重さで板材から外れ落ちることがないように、該板材に対して強固に取り付けられている。このため、板材とフックとを分別し難いという問題があった。
【０００６】
本発明が解決しようとする課題は、紙製の板材と非紙製のフックとを容易に分別できる商品展示器および商品展示用板材を提供することである。
【課題を解決するための手段】
【０００７】
上記課題を解決するために成された本発明に係る商品展示器は、
a)紙製の板材と、
b)前記板材に形成された挿入孔と、
c)被展示物を掛けるための棒状部と、この棒状部の基部に設けられ前記板材の表側から前記挿入孔に差し込むことにより前記板材に係合する係合部とを有する非紙製のフックと、
d)前記板材のうち前記挿入孔の真下部に位置する回動片部と
を備え、
前記回動片部の周囲部のうち左右一対の接点部以外にはミシン目が形成され、前記回動片部を押圧することにより前記ミシン目に沿って該回動片部の周囲部が切れて、前記接点部を中心に前記回動片部が回動するように構成されていることを特徴とする。
【０００８】
また、本発明に係る商品展示用板材は、非紙製のフックが挿入される挿入孔を有する板材と、前記板材のうち前記挿入孔の真下部に位置する回動片部とを備え、前記回動片部の周囲部のうち左右一対の接点部以外は、前記板材から切り離されていることを特徴とする。
【発明の効果】
【０００９】
本発明に係る商品展示器は、廃棄する際に、回動片部を回動させることにより、挿入孔の下辺が挿入孔から離れる方向に移動し、それにより係合部を挿入孔から外しやすくなる。そのため、フックを板材から容易に取り外すことができ、板材とフックを別々に廃棄することができる。
【図面の簡単な説明】
【００１０】
【図１】本発明の第１実施例に係る商品展示器の外観を示す図。
【図２】商品展示用板材の展開図。
【図３】商品展示器を裏側から見て示す挿入孔付近の拡大図。
【図４】挿入孔周辺部分の概略的な側面図であって、（ａ）は回動片部を回動させる前の状態、（ｂ）は回動片部を回動させた後の状態を示す。
【図５】商品展示用板材からフックを取り外す様子を説明するための図。
【図６】本発明の第２実施例を示す商品展示器の板材の展開図。
【発明を実施するための形態】
【００１１】
以下、本発明に係る商品展示器及び商品展示用板材の実施例を説明する。
【実施例１】
【００１２】
図１〜図６は本発明の第１実施例を示している。本実施例の商品展示器１０は、図１及び図２に示すように、厚紙製の縦長の板であって、表面にフック１９が複数取り付けられ、上部に吊り下げ紐１２が取り付けられた商品展示用板材（以下「板材」という）１１と、この板材１１の両側に延設された厚紙製の第１及び第２背板１３Ａ及び１３Ｂから成る。第１背板１３Ａと板材１１、第２背板１３Ｂと板材１１との間には、厚紙の表側に切り込み線１５が入れられており、第１及び第２背板１３Ａ及び１３Ｂを板材１１の裏側に容易に折り曲げることができるようになっている。板材１１並びに第１及び第２背板１３Ａ及び１３Ｂの上部にはそれぞれＬ字状の係止孔１４が形成されており、第１及び第２背板１３Ａ及び１３Ｂを折り曲げた状態でこれら係止孔１４に吊り下げ紐１２が取り付けられるようになっている。
【００１３】
フック１９は商品等を掛けるための棒状部１９１、円板状の基部１９２、基部１９２の裏面に設けられた係合部１９３から構成されている。一方、図２及び図３に示すように、板材１１にはフック１９を取り付けるための四角形状の挿入孔１６が設けられている。フック１９の基部１９２の係合部１９３を板材１１の裏側で挿入孔１６の左端及び右端に掛けると共に、板材１１の表側で基部１９２が挿入孔１６の周縁部に係止することにより、基部１９２と係合部１９３で板材１１が挟まれ、以てフック１９が板材１１に固定される。
【００１４】
板材１１の各挿入孔１６の下部にはＵ字形状のミシン目１８１が入れられており、そのミシン目１８１の２本の縦棒の上端を結ぶ線は挿入孔１６の下辺１６１よりもわずかに下まで達している（図３参照）。このミシン目１８１で囲まれた部分が回動片部１８として機能し、下辺１６１とミシン目１８１の間の部分が回動片部１８の回動軸として機能する（図４参照）。
【００１５】
本実施例の商品展示器１０では、図４及び図５に示すように、板材１１の表面から裏面に向けて回動片部１８を押し込むことにより、板材１１がミシン目１８１で切断され、回動片部１８がミシン目１８１の両側の上端部を結ぶ線を軸として回動片部１８が回動する。その結果、フック１９の基部１９２の係合部１９３が下辺１６１から外れ、板材１１からフック１９を容易に取り外すことができる。この作業を全ての挿入孔１６及びフック１９について行うことにより、板材１１とフック１９を分離することができ、厚紙製の板材１１と、プラスチックあるいは金属製のフック１９を容易に分別廃棄することができる。
【実施例２】
【００１６】
図６は本発明の第２実施例に係る商品展示器の構成を示している。この第２実施例では、商品展示器１０は縦に細長い商品展示用板材１１とその上部両側の背板１３Ａ及び１３Ｂから成る。商品展示用板材１１には、縦に一列に並ぶように複数のフック１９（図６ではフック１９の一部のみ示す）が取り付けられるようになっている。そして、フック１９の挿入孔（図示せず）の真下から該挿入孔を挟んで左右上部に延びるＵ字状のミシン目１８１が形成されている。ミシン目１８１で囲まれた部分が回動片部１８となる。その他の構成は第１実施例と同様である。
【００１７】
なお、上記実施例では板材１１及び背板１３Ａ、１３Ｂを厚紙製にしたが段ボール製でもよい。また、背板は無くても良い
【符号の説明】
【００１８】
１０…商品展示器
１２…吊り下げ紐
１１…板材（商品展示用板材）
１３Ａ、１３Ｂ…背板
１４…係止孔
１６…挿入孔
１８…回動片部
１８１…ミシン目
１９…フック
１９１…棒状部
１９２…基部
１９３…係合部
１６…挿入孔
【図１】
0005512416.tif 000002
【図２】
0005512416.tif 000003
【図３】
0005512416.tif 000004
【図４】
0005512416.tif 000005
【図５】
0005512416.tif 000006
【図６】
0005512416.tif 000007